(57)【要約】本発明は、パワーコンディショナのパワーエントリパネルに関する。パワーエントリパネルは、電力を受け取る入力端子台を含んでいる。パワーエントリパネルは、入力端子台からパワーコンディショナに電力を送る相手接続部を含んでいる。相手接続部は、入力端子台に直接接続されて、接触する。本発明は、パワーエントリパネルの入力端子台に関する。本発明は、電力を伝送する方法に関する。【選択図】図１
2004538604.tif 000002
【特許請求の範囲】
【請求項１】
電力を受け取る入力端子台と、前記入力端子台からパワーコンディショナに電力を送る相手接続部とを具えており、
前記相手接続部は、前記入力端子台に直接接続されて、接触しているパワーコンディショナ用パワーエントリパネル。
【請求項２】
前記入力端子台が接触している接地パネルを含む、請求項１に記載のパワーエントリパネル。
【請求項３】
前記パワーコンディショナからの電力が伝送される出力コネクタを含む、請求項２に記載のパワーエントリパネル。
【請求項４】
前記出力コネクタは、前記接地パネルへシャーシグラウンドしている、請求項３に記載のパワーエントリパネル。
【請求項５】
前記入力端子台は、少なくとも一つの端子ピンを含んでおり、前記端子ピンは、前記入力端子台に直接接続されて、接触している、請求項４に記載のパワーエントリパネル。
【請求項６】
前記入力端子台は、支持台を具えており、前記端子ピンは、前記支持台を通って延びており、前記支持台は、前記端子ピンを支持し、前記端子ピンを絶縁する、請求項５に記載のパワーエントリパネル。
【請求項７】
前記端子ピンは、長端部及び短端部を有しており、前記支持台は、ワイヤ側の側面及びコネクタ側の側面を有しており、前記入力端子台は、電力をフィルタリングするフィルタリング層を含んでおり、前記電力フィルタリング層は、前記接続側面に配置されており、前記長端部は前記接続側から延びて、前記相手接続部と接続しており、前記短端部は、前記ワイヤ側面から延出して電力ワイヤと接続しており、電力は、前記電力ワイヤによって前記入力端子台に送られる、請求項６に記載のパワーエントリパネル。
【請求項８】
前記出力コネクタは、バス・バー及びピンを含んでおり、前記ピンは、前記バス・バーに圧入されて前記シャーシグラウンドを形成する、請求項７に記載の電力入力パネル。
【請求項９】
前記入力端子台は、１５０アンペア、４８ＶのＤＣ電力を供給する、請求項８に記載のパワーエントリパネル。
【請求項１０】
パワーエントリパネルの相手接続部に直接接続して、接触するように構成された、電力を伝導する入力端子ピンと、
前記端子ピンが貫通して延び、前記端子ピンを支持する支持台と、
前記支持台飢えに配置されて、電力をフィルタリングするフィルタリング層とを具える、パワーエントリパネル用入力端子台。
【請求項１１】
入力端子ブロックで電力を受け取る工程と、
相手接続部を通じて前記入力端子ブロックから電力を送る工程とを含んでおり、
前記入力端子台は、パワーコンディショナに直接接続されて、接触している、電力を伝送する方法。
【請求項１２】
出力コネクタを通じて前記パワーコンディショナから電力を送る工程を含む、請求項１１に記載の方法。
【請求項１３】
前記出力コネクタをシャーシ接地パネルに接地する工程を含む、請求項１２に記載の方法。
【請求項１４】
前記電力を送る工程は、前記相手接続部を通じて、前記入力端子台から前記パワーコンディショナに、１５０アンペア、４８ＶのＤＣ電力を送る工程を含む、請求項１３に記載の方法。
【発明の詳細な説明】
【発明の背景】
【０００１】
本発明は、パワーコンディショナに用いるパワーエントリパネル(power entry panel)に関する。さらに詳細には、本発明は、パワーコンディショナ(power conditioner)に用いるパワーエントリパネルに関しており、該パワーエントリパネルは、相手の接続部に直接接続されて接触する入力端子台を有している。
【０００２】
電気通信産業は、現在、高密度製品の産業を活発にしつつあり、今度は、システム電力供給に対する要求を強くしている。近年のスイッチのシャーシ密度は、現在知られている何れの工業生産物の水準をも超えたパワーエントリ及び電力供給の水準を要求している。１５０アンペア、４８ＶのＤＣ電力供給システムにおいて、従来方法で入力端子から出力端子への配線するには、ゲージ番号＃２のワイヤ及び/又はバス・バーを使用し、６００ｍｍＥＴＳＩ(引用を持って本明細書の一部とする)に準拠したシャーシ用領域(real estate)を、受け入れられない量用いる必要がある。これにより、システム設計の残余部分にとって、シャーシスペース条件が不適切なものとなっている。本発明のシャーシのパワーエントリは、如何なるワイヤ又はバス・バーの利用をも排除している。本発明のシャーシのパワーエントリは、６００ｍｍＥＴＳＩに準拠したシャーシ用領域を不合理な割合で用いるのではなく、１５０アンペア、４８ＶのＤＣ電力供給の要求を達成している。
【０００３】
本発明のパワーエントリパネルは、個別に及び工業的に入手可能な部品の新規な組合せとして実施可能であり、如何なるワイヤ又はバス・バーの使用をも排除する。その設計によれば、従来のワイヤー及びバス・バーの組立てに用いられる配線の部品の総数、複雑さ、及び配線数が低減される。それゆえ、領域上の要求、コストが低減され、さらに、性能が改善される。
【０００４】
本発明の第１の特徴は、パワーコンディショナ用パワーエントリパネルが、電力を受け取る入力端子台と、入力端子台からパワーコンディショナまで電力を送る相手接続部とを含んでいることである。相手接続部は、入力端子台に直接接続されて接触する。
【０００５】
本発明の第２の特徴は、パワーエントリパネルの入力台が、電力を伝導する端子ピンを含んでおり、該端子ピンは、パワーエントリパネルの相手接続部に直接接続されて接触するように構成され、端子ピンは、支持台を通って延び、該支持台は端子ピンを支持し、電力をフィルタリングするフィルタリング層が、支持台に配置されていることである。
【０００６】
１.  本発明の第３の特徴は、電力を伝送する方法が、入力端子台で電力を受け取る工程と、相手接続部を通じて入力端子台から電力を送る工程とを含んでいることである。従って、入力端子台は、パワーコンディショナに直接接続されて、接触する。
【０００７】
図面を参照すると、夫々の図を通じて、類似又は同じ部分については、同種の符号が用いられている。図１、２、７乃至９、及び１１では、パワーコンディショナ(12)のパワーエントリパネル(10)が示されている。パワーエントリパネル(10)は、電力を受け取る入力端子台(14)を具えている。パワーエントリパネル(10)は、相手接続部(16)を具えており、該相手接続部(16)は、入力端子台(14)からパワーコンディショナ(12)に電力を送る。相手接続部(16)は、入力端子台(14)に直接接続されて、接触する。
【０００８】
パワーエントリパネル(10)は、接地パネル(18)を含んでおり、該パネル(18)へ、入力端子台(14)が接触している。パワーエントリパネル(10)は、出力コネクタ(20)を含んでおり、該出力コネクタ(20)へパワーコンディショナ(12)からの電力が、伝送される。出力コネクタ(20)は、接地パネル(18)へシャーシグラウンドされている。
【０００９】
入力端子台(14)は、少なくとも一つの端子ピン(22)を含んでおり、該端子ピン(22)は、相手接続部(16)に直接接続し、接触する。入力端子台(14)は支持台(24)を含んでおり、図３、４及び１０に示すように、端子ピン(22)は支持台(24)を通って延びている。支持台(24)は、端子ピン(22)を支持し、絶縁する。
【００１０】
端子ピン(22)は、長端部(26)と短端部(28)とを有している。支持台(24)は、ワイヤ側の側面(30)とコネクタ側の側面(32)を有している。入力端子台(14)は、電力をフィルタリングするフィルタリング層(34)を含んでいる。電力フィルタリング層(34)は、接続側の側面に配置されるのが好ましい。長端部(26)は、接続側の側面から延びて、相手接続部(16)と接続し、短端部(28)は、ワイヤ側の側面(30)から延びて、電力ワイヤ(36)と接続し、電力ワイヤ(36)から入力端子台(14)に電力が送られる。図５、６及び１１に示すように、出力コネクタ(20)は、バス・バー(38)及びピン(40)を含んでおり、該ピン(40)は、バス・バー(38)に圧入され、シャーシグラウンドが構成されている。入力端子台(14)は、１５０アンペアの電力を供給するのが好ましい。
【００１１】
本発明は、パワーエントリパネル(10)用の入力端子台(14)に関するものである。入力端子台(14)は、電力を伝送する端子ピン(22)を具えており、該ピン(22)は、パワーエントリパネル(10)の相手接続部(16)に直接接続されて接触するように構成されている。入力端子台(14)は、端子ピン(22)が貫通している支持台(24)を具えている。支持台(24)は、端子ピン(22)を支持する。入力端子台(14)は、フィルタリング層(34)を具えており、該フィルタリング層(34)は、支持台(24)上に配置されて電力をフィルタリングする。
【００１２】
本発明は、電力の伝送方法に関するものである。その方法は、入力端子台(14)で電力を受け取る工程を含んでいる。相手接続部(14)を通じて、入力端子台(14)から電力を送る工程がある。それによって、該相手接続部(14)は、パワーコンディショナ(12)に直接接続されて、接触する。
【００１３】
出力コネクタ(20)を通じて、パワーコンディショナ(12)から電力を送る工程と、出力コネクタ(20)を、シャーシ接地パネル(18)に接地する工程とがある。電力を送る工程は、１５０アンペア、４８ＶのＤＣ電力を、組合せ接触部(16)を通じて、入力端子台(14)からパワーコンディショナ(12)に送る工程を含んでいることが好ましい。
【００１４】
本発明の実施において、外部シャーシからパワーコンディショナ(12)へ、１５０アンペア、４８ＶのＤＣパワーエントリの移行する際の従来の方法では、工業的に入手可能なコネクタセットと、端子又は端子台を実装する工業的に入手可能なパネルとを用いて、ゲージ番号＃２のワイヤ及び/又はバス・バーを用いて、これら２つの間を配線するであろう。図１及び２に示すように、パワーエントリパネル(10)は、注文仕様の入力パワーエントリ用端子台を用いており、これは工業的に入手可能なコネクタハウジングに、独特な方法で直接に移行し、ワイヤ及び/又はバス・バーと、それら各々の機械的な接続とが排除されている。図４及び５に示すように、入力端子台(14)は、入力電力及びアース供給用の適当な接続端子をパネル取付するように設計されている。周知のフィルタリング技術により、プリント回路基板フィルタ層(34)を用いて、フィルタリング機能が入力端子台(14)に組み込まれている。工業的に入手可能なコネクタセットのパワーエントリ側の側面は、エルコン社(Elcon Products International Co.)製のクワッドパワーピンハウジングである。この設計固有の特徴は、通常のエルコン社製コネクタピンを排除して、相手接続部(16)としてのみエルコン社製コネクタハウジングを用いていることである。ピンの要件は、注文仕様で設計されて端子ピン(22)となっており、該端子ピン(22)は、適切に設計された支持構造で、注文仕様の入力端子台(14)からエルコン社製相手接続部(16)ハウジングに移行する。
【００１５】
もう一つの固有の特徴は、パワーコンディショナ(12)の接地であり、これは、図５、６及び７に示すように、ＰＣＭからの出力コネクタ(20)にて、エルコン社製ゲージ番号＃１２のピン(40)を組み込んだバス・バー(38)により達成される。図３及び４は、エルコン社製ピンの要件を示しており、入力端子台(14)の端子ピン(22)が、エルコン社製ハウジング相手接続部(16)に直接的に移行するようにデザインされている。入力端子台及びパワーエントリ組立品は、１片のピン構造ではなく２片のピン構造を用いている。入力端子台(14)からエルコン社製相手接続部(16)ハウジングへの移行は、オフセット寸法を含んでおり、１片のピン構造よりも２片のピン構造でより効果的に製作可能である。
【００１６】
各入力端子台(14)は、短端部(28)から内部のエルコン社製相手接続部(16)ハウジングに移行する４端子パターンを有している。これら２つのパターンにはオフセットがあり、端子ピン(22)が２つの異なる軸を有するように設計される必要がある。これは、２片構造によって達成される。端子ピン(22)は、エルコン社製品に要求される特徴を再現し、入力端子台(14)からエルコン社製相手接続部(16)ハウジングに移行するために必要な要件を組み込むことによって、作製された。
【００１７】
本発明は、説明の目的で上記の実施例について詳細に記載したが、このような詳細な説明は単にその目的のためであり、特許請求の範囲に記載されている場合を除き、当該分野の専門家であれば、発明の精神及び範囲から逸脱することなく変形を成し得ることは理解されるべきである。
【図面の簡単な説明】
【００１８】
添付の図面には、本発明の好ましい実施例と、本発明を実施する好ましい方法が図示されている。
【図１】図１は、パワーコンディショナ用の本発明に係るパワーエントリパネルの概略を示す斜面図である。
【図２】図２は、パワーエントリパネルの概略を示す右側面図である。
【図３】図３は、入力端子台の概略を示す側方開放した側面図である。
【図４】図４は、入力端子台の概略を示す平面図である。
【図５】図５は、接地バス・バー及びピンの概略を示す側面図である。
【図６】図６は、接地バス・バー及びピンの概略を示す斜面図である。
【図７】図７は、相手接続部を除いたパワーエントリパネルの概略を示すワイヤ側の側面図である。
【図８】図８は、相手接続部を除いたパワーエントリパネルの概略を示すコネクタ側の側面図である。
【図９】図９は、入力端子パネルの平面図である。
【図１０】図１０は、支持台と相手接続部の分解図である。
【図１１】図１１は、部分的に実装されたパワーエントリパネルの概略を示す斜め後方から見た斜面図である。
【図１】
2004538604.tif 000003
【国際公開パンフレット】
2004538604.tif 000004
2004538604.tif 000005
2004538604.tif 000006
2004538604.tif 000007
2004538604.tif 000008
2004538604.tif 000009
2004538604.tif 000010
2004538604.tif 000011
2004538604.tif 000012
2004538604.tif 000013
2004538604.tif 000014
2004538604.tif 000015
2004538604.tif 000016
2004538604.tif 000017
2004538604.tif 000018
2004538604.tif 000019
【国際公開パンフレット（コレクトバージョン）】
2004538604.tif 000020
2004538604.tif 000021
【国際調査報告】
2004538604.tif 000022
2004538604.tif 000023
2004538604.tif 000024